(57)【要約】【課題】表示装置において、画素単位で混合比を制御して複数の入力映像データを混合する場合には、混合比データ用のフレームメモリが必要であった。【解決手段】第１の映像データを入力する第１の映像入力端子２５と、第２の映像データを入力する第２の映像入力端子２６と、それらの映像データを画素単位で混合するための混合比データを、画素毎に生成しながら出力する外部の混合比情報出力ユニット１３から入力する混合比情報入力端子２９と、入力された第１の映像データを調整して出力する第１の映像信号処理部２０と、入力された第２の映像データを調整して出力する第２の映像信号処理部２１と、入力された混合比データを用いて、画素毎に、調整された第１および第２の映像データを混合し出力する混合処理部２２とを備える。混合処理部２２に入力される、混合比データ、調整された第１の映像データ、および調整された第２の映像データは同期されている。【選択図】図２
2009276557.tif 000002
【特許請求の範囲】
【請求項１】
第１の映像データを入力する第１の映像入力端子と、
第２の映像データを入力する第２の映像入力端子と、
前記第１の映像データと前記第２の映像データとを画素単位で混合するための、混合比データまたは前記混合比データを算出できる準混合比データである、混合比情報を、画素毎に生成しながら出力する外部の混合比情報出力ユニットから前記混合比情報を入力する混合比情報入力端子と、
前記第１の映像入力端子に入力された前記第１の映像データを調整して出力する第１の映像信号処理部と、
前記第２の映像入力端子に入力された前記第２の映像データを調整して出力する第２の映像信号処理部と、
前記混合比情報入力端子に入力された前記準混合比データから算出された混合比データまたは前記混合比情報入力端子に入力された前記混合比データを用いて、画素毎に、前記第１の映像信号処理部で調整された前記第１の映像データおよび前記第２の映像信号処理部で調整された前記第２の映像データを混合し出力する混合処理部とを備え、
前記混合処理部に入力される、前記混合比データ、前記調整された第１の映像データ、および前記調整された第２の映像データは同期されている、映像処理デバイス。
【請求項２】
前記混合比情報入力端子に入力する前記混合比情報が前記準混合比データの場合は、前記混合比情報入力端子と前記混合処理部との間に、前記準混合比データから前記混合比データを算出する混合比データ算出回路が備えられている、請求項１に記載の映像処理デバイス。
【請求項３】
前記準混合比データは、前記混合比データを選択するためのインデックス情報であり、
前記準混合比データを前記混合比データに対応づける混合比テーブルをさらに備え、
前記混合比データ算出回路は、前記混合比テーブルを用いて、画素毎に、前記準混合比データから前記混合比データを算出する、請求項２に記載の映像処理デバイス。
【請求項４】
前記第２の映像入力端子に入力された前記第２の映像データに、前記混合比情報の信号を同期させるための同期信号を出力する同期信号出力端子を備え、
前記混合比情報出力ユニットは、前記同期信号出力端子から出力された前記同期信号を入力し、その同期信号に同期させて前記混合比情報を出力する、請求項１〜３のいずれかに記載の映像処理デバイス。
【請求項５】
前記混合比情報出力ユニットは、入力される前記同期信号に同期させて、前記第１の映像入力端子に入力する前記第１の映像データを出力する映像データ生成装置である、請求項４に記載の映像処理デバイス。
【請求項６】
前記第１の映像データは、ＯＳＤ映像データである、請求項５に記載の映像処理デバイス。
【請求項７】
前記第２の映像データは、カーナビゲーション用の映像データまたはテレビ用の映像データである、請求項６に記載の映像処理デバイス。
【請求項８】
前記混合処理部に入力される前記混合比データを、前記調整された第１の映像データおよび前記調整された第２の映像データに同期させるための遅延回路が、前記混合比情報入力端子と前記混合処理部との間に備えられている、請求項１〜７のいずれかに記載の映像処理デバイス。
【請求項９】
ＯＳＤ映像データが入力する第３の映像入力端子と、
前記第３の映像入力端子に入力された前記ＯＳＤ映像データを調整して出力する第３の映像信号処理部と、
前記混合比情報出力ユニットから、いずれの映像データを混合するかを示す組み合わせ情報を入力する組み合わせ情報入力端子とを備え、
前記第１の映像データおよび前記第２の映像データは、一方がカーナビゲーション用の映像データであり、もう一方がテレビ用の映像データであり、
前記混合比情報出力ユニットは、入力される前記同期信号に同期させて、前記ＯＳＤ映像データを出力し、
前記混合処理部は、前記第１の映像信号処理部で調整された前記第１の映像データ、前記第２の映像信号処理部で調整された前記第２の映像データ、および前記第３の映像信号処理部で調整された前記ＯＳＤ映像データのうちの、前記組み合わせ情報で選択された映像データを、前記混合比データを用いて画素毎に混合する、請求項４に記載の映像処理デバイス。
【請求項１０】
前記混合比情報入力端子は複数あり、
前記混合比データまたは前記準混合比データは、前記複数の混合比情報入力端子にパラレルデータで入力される、請求項１〜９のいずれかに記載の映像処理デバイス。
【請求項１１】
前記混合比データまたは前記準混合比データは、前記混合比情報入力端子にシリアルデータで入力される、請求項１〜９のいずれかに記載の映像処理デバイス。
【請求項１２】
請求項１〜１１のいずれかに記載の映像処理デバイスを備えた映像処理ＬＳＩ。
【請求項１３】
請求項１〜１１のいずれかに記載の映像処理デバイスと、
前記混合比情報出力ユニットとして動作するとともに、前記映像処理デバイスの動作を制御するマイコンと、
前記映像処理デバイスから出力された映像データを表示する表示用パネルとを備えた表示装置。
【請求項１４】
請求項１３に記載の表示装置と、
カーナビゲーション用の映像データを生成し出力するカーナビ本体と、
テレビ用の映像データを出力するテレビチューナとを備えたカーナビゲーションシステム。
【請求項１５】
請求項１３に記載の表示装置において前記マイコンが前記混合比情報を生成する方法であって、
前記映像処理デバイスに入力される前記第１の映像データおよび前記第２の映像データの組み合わせに対応させて、混合される領域分の混合比情報パターンが予め決められており、
入力インターフェースから入力される表示指示に応じた、前記第１の映像データおよび前記第２の映像データの組み合わせに対応する前記混合比情報パターンを取得する混合比情報パターン取得ステップと、
前記取得した混合比情報パターンに基づいて、混合比情報を画素毎に算出する混合比情報算出ステップとを備えた、混合比情報生成方法。
【請求項１６】
請求項１５に記載の混合比情報生成方法の、入力インターフェースから入力される表示指示に応じた前記第１の映像データおよび前記第２の映像データの組み合わせに対応する前記混合比情報パターンを取得する前記混合比情報パターン取得ステップと、前記取得した混合比情報パターンに基づいて、混合比情報を画素毎に算出する前記混合比情報算出ステップとをコンピュータに実行させるプログラム。
【請求項１７】
請求項１６に記載のプログラムを記録した記録媒体であって、コンピュータにより処理可能な記録媒体。
【発明の詳細な説明】
【技術分野】
【０００１】
本発明は、映像処理デバイス、映像処理ＬＳＩ、表示装置、カーナビゲーションシステム、および混合比情報生成方法等に関する。
【背景技術】
【０００２】
近年、カーナビゲーションシステムが多くの車両に搭載されるようになってきた。カーナビゲーションシステムは、地図および現在位置を表示装置に表示するとともに、操作用のメニューや、その他の有用な情報なども表示装置に表示する。
【０００３】
最近では、カーナビゲーションシステムの表示装置にも、高品位な表示が求められるようになってきている。そして、高品位な表示を実現する手法として、画素単位で透明度（α）を変更可能な２映像αブレンド合成処理を用いて表示する表示装置がある。
【０００４】
α（アルファ）ブレンドとは、２画像を係数（α値）により合成することであり、αブレンド後の画素値Valueは、（１）式で表わされる。
【０００５】
Value＝Value0×(1.0−α)＋Value1×α  ・・・（１）
ここで、Value0は背景の画素値であり、Value1は前景の画素値である。αは、０〜１の値をとる係数で、どの程度透過させるかを表わす値である。αが１のとき、完全不透過であり、αが０のとき、前景が完全な透明となる。
【０００６】
画素単位で精細に半透明の度合いを制御する場合には、画素毎に設定されたα値を用いて、画素毎に（１）式によって画素値Valueを算出することになる。
【０００７】
図１５に、２映像αブレンド合成機能を持つ表示装置を備えた従来のカーナビゲーションシステムの構成図を示す。
【０００８】
２映像αブレンド合成機能を持つ表示装置１０１が、外部バス１０２によってナビゲーション本体１００に接続される。
【０００９】
ナビゲーション本体１００のＣＰＵ１０３は、ナビゲーションシステム全体の制御を行う。ＣＰＵ１０３は、センサ１０５からＧＰＳ受信機やジャイロなどのセンサ情報を受信し、自車位置を検出する。また、ＣＰＵ１０３は、リモコンなどの操作部１０４からの指示にしたがって、表示装置１０１に表示させるためのナビ映像データをナビ描画処理部１０７に作成させ、その作成したナビ映像データを、外部バス１０２を介して表示装置１０１に送信する。また、ＣＰＵ１０３は、表示装置１０１に表示させるための操作用メニューの映像なども、ナビ映像データとしてナビ描画処理部１０７に作成させて、表示装置１０１に送信する。
【００１０】
ＨＤＤや光磁気ディスクなどの記憶部１０６には、ナビ映像データ作成のために必要な地図情報ＤＢや経路情報ＤＢなどが格納されている。ナビ描画処理部１０７は、記憶部１０６に格納されているこれらの情報を用いてナビ映像データを作成する。
【００１１】
表示装置１０１の映像処理ＬＳＩ１０９は、外部バス１０２を介してナビゲーション本体１００から受信した複数のナビ映像データをαブレンド合成して表示パネル１１０に表示させる。
【００１２】
表示装置１０１のαデータ用フレームメモリ１１１には、予めα値データが画素毎に設定された複数画面分のα値データが格納されている。
【００１３】
制御用マイコン１０８は、ナビゲーション本体１００から受信している複数のナビ映像データに対応してαブレンドパターンを映像処理ＬＳＩ１０９に指示し、映像処理ＬＳＩ１０９は、αデータ用フレームメモリ１１１に格納されている複数画面分のα値データの中から、指示された一画面分のα値データを選択して、αブレンド合成処理を行う。
【００１４】
例えば、ナビゲーション本体１００から、自車位置を含む地図を表示させるためのナビ映像データと、操作用のメニューを表示させるためのナビ映像データが、外部バス１０２を介して表示装置１０１に送信されたときに、制御用マイコン１０８は、操作用のメニューに対応したαブレンドパターン（半透明）を映像処理ＬＳＩ１０９に指示し、映像処理ＬＳＩ１０９は、半透明にした操作用のメニュー表示を地図表示に重畳させて表示パネル１１０に表示させることができる。
【００１５】
次に、映像処理ＬＳＩ１０９におけるαブレンド合成処理内容について説明する。
【００１６】
図１６は、映像処理ＬＳＩ１０９におけるαブレンド合成処理方法を説明するための図を示している。
【００１７】
図１６の画像混合部１２５は、映像処理ＬＳＩ１０９のαブレンド合成処理を行う機能部分を示している。また、図１６に示す第１画像データおよび第２画像データは、ナビゲーション本体１００から送信されてくる複数のナビ映像データの一例である。
【００１８】
第１画像データ用バッファメモリ１２１および第２画像データ用バッファメモリ１２２は、ナビゲーション本体１００から送信されてきた第１画像データおよび第２画像データをそれぞれ一時的に格納するためのバッファであり、映像処理ＬＳＩ１０９内または映像処理ＬＳＩ１０９外に設けられている。
【００１９】
第１の画像データは、第１画像データ用バッファメモリ１２１に格納されるとともに、第２の画像データは、第２画像データ用バッファメモリ１２２に格納される。ここで、第１および第２の画像データは、例えば、各画素データが、赤、青、緑の３原色データからなるカラー画像データであり、各原色データは、それぞれ８ビットで、画像データは２４ビットからなる。
【００２０】
前述したように、各画素についてのα値が設定された複数画面分のα値データが、αデータ用フレームメモリ１１１に格納されている。ここでは、各画素に対するα値データは、８ビットとする。
【００２１】
画像混合部１２５は、第１画像データ用バッファメモリ１２１および第２画像データ用バッファメモリ１２２から画像データを画素単位で読み出すとともに、これらの画像データと同じ画素のα値データを、αデータ用フレームメモリ１１１に格納されている複数画面分のうち、制御用マイコン１０８から指示されたパターンに対応する画面のデータから読み出す。
【００２２】
第１画像データ用バッファメモリ１２１および第２画像データ用バッファメモリ１２２からの画素データは、それぞれ画像混合部１２５の掛け算回路１２６および１２７に供給される。そして、これらの画素に対応する画素のα値が、掛け算回路１２６に供給されるとともに、（１−α）演算回路１２８に供給され、（１−α）のデータとされ、掛け算回路１２７に供給される。
【００２３】
そして、掛け算回路１２６および１２７の出力データが、混合回路１２９で混合されて出力される。その混合された画像データが、表示パネル１１０に入力され表示される。
【００２４】
このようにして、表示装置１０１において画素毎のαブレンド合成処理を行い、高精細な表示を実現している。
【００２５】
また、図１６のαデータ用フレームメモリ１１１の容量を低減させるαブレンド合成処理方法も提案されている（例えば、特許文献１参照）。
【００２６】
図１７は、特許文献１で提案されているαブレンド合成処理方法を説明するための図を示している。
【００２７】
これは、図１６のαデータ用フレームメモリ１１１の代わりに、αエントリデータ用フレームメモリ１２４と混合比テーブル１２３を設ける構成としたものである。
【００２８】
図１７の例において、混合比テーブル１２３は、８ビットのα値のデータを６４個備えている。そして、αエントリデータ用フレームメモリ１２４には、１画面分の各画素について、その画素のα値を混合比テーブル１２３から得るための情報（αエントリデータ）が、複数画面分格納されている。ここで、αエントリデータは、設定されたα値が格納されている混合比テーブル１２３中のアドレス情報としている。
【００２９】
画像混合部１２５は、図１６の場合にはαデータ用フレームメモリ１１１から対応する画素のα値を読み出すのに対し、図１７の場合には、対応する画素のαエントリデータをαエントリデータ用フレームメモリから読み出し、その読み出したαエントリデータに対応するα値を混合比テーブル１２３から読み出して、そのα値を混合処理演算に使用する。
【００３０】
図１７の例の場合、各画素に対応するαエントリデータは６ビットなので、図１７のαエントリデータ用フレームメモリ１２４に必要な容量は、図１６のαデータ用フレームメモリ１１１に必要な容量の３／４（６ビット／８ビット）となり、混合処理演算に必要なメモリ容量を低減できる。
【特許文献１】特開平０７−２８２２６９号公報
【発明の開示】
【発明が解決しようとする課題】
【００３１】
しかしながら、従来のこのような装置では、表示装置側において画素単位で混合比を制御して複数の入力映像データを混合するので、混合比データ用のフレームメモリが必要であった。
【００３２】
すなわち、図１６に示した混合処理方法の場合には、αデータ用フレームメモリ１１１が必要であった。この場合、画素単位でα値を設定するためには、１画面分のα値データとして、１画面の画素数×８ビット分のメモリ容量が必要となる。
【００３３】
そのため、多種の混合パターンを実現するためには、数多くの画面数分のα値データが必要となり、多くのメモリを設けなければならず、高コストとなってしまう。一方、低コスト化のためにメモリ容量を制限すると、対応できる混合パターンが少なくなってしまう。
【００３４】
また、図１７に示した混合処理方法の場合においても、図１６の場合よりも必要なメモリ容量が低減されるものの、１画面分のα値データとして、１画面の画素数×６ビット分のメモリ容量が必要となる。この場合でも、図１６の場合に比べて、必要なメモリ容量を３／４程度に低減できるのみである。
【００３５】
本発明は、上記従来の課題を考慮して、混合比データ用のフレームメモリを必要とせずに、複数の入力映像データを画素単位で混合比を制御して混合できる映像処理デバイス、映像処理ＬＳＩ、表示装置、カーナビゲーションシステム、および混合比情報生成方法等を提供することを目的とする。
【課題を解決するための手段】
【００３６】
上述した課題を解決するために、第１の本発明は、
第１の映像データを入力する第１の映像入力端子と、
第２の映像データを入力する第２の映像入力端子と、
前記第１の映像データと前記第２の映像データとを画素単位で混合するための、混合比データまたは前記混合比データを算出できる準混合比データである、混合比情報を、画素毎に生成しながら出力する外部の混合比情報出力ユニットから前記混合比情報を入力する混合比情報入力端子と、
前記第１の映像入力端子に入力された前記第１の映像データを調整して出力する第１の映像信号処理部と、
前記第２の映像入力端子に入力された前記第２の映像データを調整して出力する第２の映像信号処理部と、
前記混合比情報入力端子に入力された前記準混合比データから算出された混合比データまたは前記混合比情報入力端子に入力された前記混合比データを用いて、画素毎に、前記第１の映像信号処理部で調整された前記第１の映像データおよび前記第２の映像信号処理部で調整された前記第２の映像データを混合し出力する混合処理部とを備え、
前記混合処理部に入力される、前記混合比データ、前記調整された第１の映像データ、および前記調整された第２の映像データは同期されている、映像処理デバイスである。
【００３７】
また、第２の本発明は、
前記混合比情報入力端子に入力する前記混合比情報が前記準混合比データの場合は、前記混合比情報入力端子と前記混合処理部との間に、前記準混合比データから前記混合比データを算出する混合比データ算出回路が備えられている、第１の本発明の映像処理デバイスである。
【００３８】
また、第３の本発明は、
前記準混合比データは、前記混合比データを選択するためのインデックス情報であり、
前記準混合比データを前記混合比データに対応づける混合比テーブルをさらに備え、
前記混合比データ算出回路は、前記混合比テーブルを用いて、画素毎に、前記準混合比データから前記混合比データを算出する、第２の本発明の映像処理デバイスである。
【００３９】
また、第４の本発明は、
前記第２の映像入力端子に入力された前記第２の映像データに、前記混合比情報の信号を同期させるための同期信号を出力する同期信号出力端子を備え、
前記混合比情報出力ユニットは、前記同期信号出力端子から出力された前記同期信号を入力し、その同期信号に同期させて前記混合比情報を出力する、第１〜第３のいずれかの本発明の映像処理デバイスである。
【００４０】
また、第５の本発明は、
前記混合比情報出力ユニットは、入力される前記同期信号に同期させて、前記第１の映像入力端子に入力する前記第１の映像データを出力する映像データ生成装置である、第４の本発明の映像処理デバイスである。
【００４１】
また、第６の本発明は、
前記第１の映像データは、ＯＳＤ映像データである、第５の本発明の映像処理デバイスである。
【００４２】
また、第７の本発明は、
前記第２の映像データは、カーナビゲーション用の映像データまたはテレビ用の映像データである、第６の本発明の映像処理デバイスである。
【００４３】
また、第８の本発明は、
前記混合処理部に入力される前記混合比データを、前記調整された第１の映像データおよび前記調整された第２の映像データに同期させるための遅延回路が、前記混合比情報入力端子と前記混合処理部との間に備えられている、第１〜第７のいずれかの本発明の映像処理デバイスである。
【００４４】
また、第９の本発明は、
ＯＳＤ映像データが入力する第３の映像入力端子と、
前記第３の映像入力端子に入力された前記ＯＳＤ映像データを調整して出力する第３の映像信号処理部と、
前記混合比情報出力ユニットから、いずれの映像データを混合するかを示す組み合わせ情報を入力する組み合わせ情報入力端子とを備え、
前記第１の映像データおよび前記第２の映像データは、一方がカーナビゲーション用の映像データであり、もう一方がテレビ用の映像データであり、
前記混合比情報出力ユニットは、入力される前記同期信号に同期させて、前記ＯＳＤ映像データを出力し、
前記混合処理部は、前記第１の映像信号処理部で調整された前記第１の映像データ、前記第２の映像信号処理部で調整された前記第２の映像データ、および前記第３の映像信号処理部で調整された前記ＯＳＤ映像データのうちの、前記組み合わせ情報で選択された映像データを、前記混合比データを用いて画素毎に混合する、第４の本発明の映像処理デバイスである。
【００４５】
また、第１０の本発明は、
前記混合比情報入力端子は複数あり、
前記混合比データまたは前記準混合比データは、前記複数の混合比情報入力端子にパラレルデータで入力される、第１〜第９のいずれかの本発明の映像処理デバイスである。
【００４６】
また、第１１の本発明は、
前記混合比データまたは前記準混合比データは、前記混合比情報入力端子にシリアルデータで入力される、第１〜第９のいずれかの本発明の映像処理デバイスである。
【００４７】
また、第１２の本発明は、
第１〜第１１の本発明の映像処理デバイスを備えた映像処理ＬＳＩである。
【００４８】
また、第１３の本発明は、
第１〜第１１のいずれかの本発明の映像処理デバイスと、
前記混合比情報出力ユニットとして動作するとともに、前記映像処理デバイスの動作を制御するマイコンと、
前記映像処理デバイスから出力された映像データを表示する表示用パネルとを備えた表示装置である。
【００４９】
また、第１４の本発明は、
第１３の本発明の表示装置と、
カーナビゲーション用の映像データを生成し出力するカーナビ本体と、
テレビ用の映像データを出力するテレビチューナとを備えたカーナビゲーションシステムである。
【００５０】
また、第１５の本発明は、
第１３の本発明の表示装置において前記マイコンが前記混合比情報を生成する方法であって、
前記映像処理デバイスに入力される前記第１の映像データおよび前記第２の映像データの組み合わせに対応させて、混合される領域分の混合比情報パターンが予め決められており、
入力インターフェースから入力される表示指示に応じた、前記第１の映像データおよび前記第２の映像データの組み合わせに対応する前記混合比情報パターンを取得する混合比情報パターン取得ステップと、
前記取得した混合比情報パターンに基づいて、混合比情報を画素毎に算出する混合比情報算出ステップとを備えた、混合比情報生成方法である。
【００５１】
また、第１６の本発明は、
第１５の本発明の混合比情報生成方法の、入力インターフェースから入力される表示指示に応じた前記第１の映像データおよび前記第２の映像データの組み合わせに対応する前記混合比情報パターンを取得する前記混合比情報パターン取得ステップと、前記取得した混合比情報パターンに基づいて、混合比情報を画素毎に算出する前記混合比情報算出ステップとをコンピュータに実行させるプログラムである。
【００５２】
また、第１７の本発明は、
第１６の本発明のプログラムを記録した記録媒体であって、コンピュータにより処理可能な記録媒体である。
【発明の効果】
【００５３】
本発明により、混合比データ用のフレームメモリを必要とせずに、複数の入力映像データを画素単位で混合比を制御して混合できる映像処理デバイス、映像処理ＬＳＩ、表示装置、カーナビゲーションシステム、および混合比情報生成方法等を提供できる。
【発明を実施するための最良の形態】
【００５４】
以下、本発明の実施の形態について、図面を用いて説明する。
【００５５】
（実施の形態１）
図１に、本発明の実施の形態１のカーナビゲーションシステムの構成図を示す。
【００５６】
本実施の形態１のカーナビゲーションシステムは、表示装置１０とナビゲーション本体６０が、フレキシブルケーブルなどの外部バス６１を介して接続される。
【００５７】
図１６および図１７に示した従来の表示装置の映像処理ＬＳＩの構成と比べてわかるように、本実施の形態１の表示装置１０は、図１６のαデータ用フレームメモリ１１１や図１７のαエントリデータ用フレームメモリ１２４のような複数の映像データを混合するために必要なフレームメモリが設けられていないことを特徴としている。
【００５８】
ナビゲーション本体６０は、ＣＰＵ６２、ナビ描画処理部６６、タッチパネルやリモコンなどの操作部６３、カーナビゲーションに関する各種情報を検出するセンサ６４、および半導体メモリ、ＨＤＤ、光磁気ディスクなどからなる記憶部６５を備えている。
【００５９】
ＣＰＵ６２は、ナビゲーションシステム全体の制御を行うとともに、センサ６４より、ＧＰＳ受信機、ジャイロ、車速パルスセンサなどのセンサ情報を受信し、自車位置を検出する。また、操作部６３から入力された出発地と目的地を結ぶ最適な経路を計算するなどのナビゲーションプログラムを実行する。
【００６０】
そして、ＣＰＵ６２は、表示装置１０に表示させるためのナビ映像データをナビ描画処理部６６に作成させ、その作成させたナビ映像データを、外部バス６１を介して表示装置１０に送信する。
【００６１】
記憶部６５には、ナビ映像データ作成のために必要な地図情報ＤＢ、経路情報ＤＢ、地点情報ＤＢ、およびランドマークＤＢなどが格納されている。ナビ描画処理部６６は、記憶部６５に格納されているこれらの情報を用いてナビ映像データを作成する。
【００６２】
表示装置１０は、映像処理ＬＳＩ１１、表示パネル１２、およびマイコン１３を備えている。
【００６３】
マイコン１３は、ＯＳＤ映像データを生成する機能を備えたマイコンであり、ナビゲーション本体６０から外部バス６１を介して映像処理ＬＳＩ１１に入力されたナビ映像データに重畳して表示させるＯＳＤ映像データと、そのＯＳＤ映像データを混合させる際の画素単位で設定される混合比データ（α値）を生成して、映像処理ＬＳＩ１１に入力する。
【００６４】
映像処理ＬＳＩ１１は、ナビゲーション本体６０から入力されたナビ映像データに、マイコン１３から入力されたＯＳＤ映像データを混合して出力し、表示パネル１２に表示させる。
【００６５】
次に、図２を用いて、映像処理ＬＳＩ１１の詳細な構成、および表示装置１０における２映像混合処理の動作について説明する。
【００６６】
図２に、本実施の形態１の表示装置１０の構成図を示す。図１に示した構成と同じ部分には、同じ符号を用いている。
【００６７】
映像処理ＬＳＩ１１は、ＯＳＤ映像信号処理部２０、ナビ映像信号処理部２１、混合処理部２２、同期信号生成部２３、および遅延回路２４を備えている。また、映像処理ＬＳＩ１１は、映像入力端子２５および２６、映像出力端子２７、同期信号出力端子２８、および混合比情報入力端子２９を備えている。
【００６８】
なお、映像処理ＬＳＩ１１が、本発明の映像処理デバイスの一例にあたり、また、本発明の映像処理ＬＳＩの一例にあたる。また、映像入力端子２５および２６が、それぞれ本発明の第１および第２の映像入力端子の一例にあたる。また、ＯＳＤ映像信号処理部２０が、本発明の第１の映像信号処理部の一例にあたり、ナビ映像信号処理部２１が、本発明の第２の映像信号処理部の一例にあたる。
【００６９】
映像処理ＬＳＩ１１の映像入力端子２６には、ナビゲーション本体６０から出力されたナビ映像データが、外部バス６１を介して入力される。
【００７０】
なお、ここでは、映像入力端子２６に入力されるナビ映像データは、各画素データが、赤、青、緑の３原色データからなるカラー映像データであり、各原色データがそれぞれ８ビットからなる２４ビットのデータであるものとする。
【００７１】
ナビ映像信号処理部２１は、映像入力端子２６に入力されたナビ映像データに対して、ＹＵＶ信号をＲＧＢ信号に変換するとともに、ガンマ補正、コントラスト調整、ブライト調整、外光輝度調整などをして出力する。また、ナビ映像信号処理部２１は、これらの調整とともに、マイコン１３からの指示にしたがって、入力されたナビ映像データの画像サイズを拡大または縮小する処理も行う。
【００７２】
同期信号生成部２３は、映像入力端子２６に入力されたナビ映像信号に同期させるための同期信号を生成し、同期信号出力端子２８から出力する。
【００７３】
また、表示装置１０は、リモコン１５から赤外線で送信されてくる信号を受信してマイコン１３に渡す赤外線受光部１４を備えている。ユーザは、リモコン１５を用いて表示装置１０を操作する。なお、赤外線受光部１４とリモコン１５を合わせた構成が、本発明の入力インターフェースの一例にあたる。
【００７４】
マイコン１３は、赤外線受光部１４がリモコン１５から受信した信号にしたがって、表示装置１０に入力されたナビ映像データに重畳して表示させるためのＯＳＤ映像データを作成し、映像処理ＬＳＩ１１から入力された同期信号に同期させて、その作成したＯＳＤ映像データを映像入力端子２５へ出力する。また、マイコン１３は、映像処理ＬＳＩ１１から入力された同期信号に同期させて、出力したＯＳＤ映像データをナビ映像データに混合させる際の混合比データを、一画素毎に生成して出力する。
【００７５】
ここで、マイコン１３が出力する混合比データとは、画素毎に設定されたαブレンド合成処理に使用するα値である。ここでは、各画素毎に設定されたα値を８ビットとする。なお、このときのマイコン１３における混合比データの生成方法については後述する。
【００７６】
なお、マイコン１３が、本発明の混合比情報出力ユニットの一例にあたる。
【００７７】
マイコン１３から出力されたＯＳＤ映像データは、ＲＧＢ信号であり、映像処理ＬＳＩ１１の映像入力端子２５に入力される。このとき入力されるＯＳＤ映像データは、マイコン１３に入力された同期信号に同期させて作成されているので、映像入力端子２６に入力するナビ映像データと同期している。
【００７８】
そして、ＯＳＤ映像信号処理部２０は、映像入力端子２５に入力されたＯＳＤ映像データに対して、ガンマ補正、コントラスト調整、ブライト調整、外光輝度調整などをして出力する。
【００７９】
ここで、ＯＳＤ映像信号処理部２０における処理およびナビ映像信号処理部２１における処理は、ＯＳＤ映像信号処理部２０で調整されて出力されるＯＳＤ映像データと、ナビ映像信号処理部２１で調整されて出力されるナビ映像データとが同期するように設定されている。したがって、混合処理部２２には、ＯＳＤ映像信号処理部２０で調整されたＯＳＤ映像データと、ナビ映像信号処理部２１で調整されたナビ映像データが同期して入力される。
【００８０】
他方、マイコン１３から出力された混合比データは、映像処理ＬＳＩ１１の混合比情報入力端子２９に入力される。混合比情報入力端子２９に入力される混合比データは、マイコン１３に入力された同期信号に同期させて作成されているので、映像入力端子２６に入力するナビ映像データと同期している。
【００８１】
遅延回路２４は、混合比情報入力端子２９に入力した混合比データを、ナビ映像データが映像入力端子２６に入力した後、ナビ映像信号処理部２１で調整されて出力されるまでの時間分、遅延させる。これにより、混合処理部２２には、ナビ映像信号処理部２１から出力されるナビ映像データ、ＯＳＤ映像信号処理部２０から出力されるＯＳＤ映像データ、および遅延回路２４から出力された混合比データが同期して入力される。
【００８２】
混合処理部２２は、画素毎に同期して入力されたこれらのデータを用いて、画素毎に、混合比データを用いてナビ映像データとＯＳＤ映像データとのαブレンド合成処理を行い、その混合した映像データを映像出力端子２７から出力させる。
【００８３】
そして、ナビ映像データとＯＳＤ映像データが画素毎に混合された映像データが表示パネル１２に入力され、表示される。
【００８４】
次に、マイコン１３における混合比データの生成方法について説明する。
【００８５】
本実施の形態１の表示装置１０では、赤外線受光部１４がリモコン１５から受信する信号に応じてマイコン１３が出力するＯＳＤ映像データが予め決められており、それらのＯＳＤ映像データ毎に、そのＯＳＤ映像データをナビ映像データに混合させる領域、すなわちＯＳＤ映像データの表示領域に対して混合比データ設定パターン（各画素に設定するα値の組み合わせ設定パターン）が予め決められている。
【００８６】
マイコン１３は、赤外線受光部１４から受け取る信号に応じて出力するＯＳＤ映像データと、そのＯＳＤ映像データに対応する混合比データ設定パターンを算出するための混合比データ算出式を、赤外線受光部１４から受け取る信号に対応づけて、これらの関係情報をマイコン１３内のメモリ上に保持している。
【００８７】
マイコン１３は、赤外線受光部１４がリモコン１５から受信した信号を受け取ると、その信号に対応するＯＳＤ映像データを生成して出力するとともに、混合比データ算出式を用いて画素毎の混合比データを算出して出力する。
【００８８】
図３に、マイコン１３に予め備えておく複数のパターン種別の具体例を示す。
【００８９】
図３の具体例の場合、予め１１種類のパターンを設定している。この場合には、赤外線受光部１４から受け取る信号に対して、これらの１１種類のパターンのいずれかのパターンが予め対応づけられている。
【００９０】
図３の「混合比データ（α値）設定パターン」には、ＯＳＤ映像データ領域内の各画素に設定する具体的なα値を記載している。
【００９１】
各パターン種別（パターン１〜パターン１１）には、それぞれ混合比データ算出式（ｆ１（ｘ）〜ｆ１１（ｘ））が対応づけられており、マイコン１３は、これらの２つの情報を有している。
【００９２】
パターン１〜パターン３の場合には、いずれの画素にも同じα値が設定され、これらの場合には、ＯＳＤ映像データは、一様な透明度でナビ映像データに重畳表示されることになる。
【００９３】
パターン４〜パターン７の場合には、ＯＳＤ領域の左右方向に透明度の変化のある表示がされ、パターン８〜パターン１１の場合には、ＯＳＤ領域の上下方向に透明度の変化のある表示がされる。
【００９４】
これらの算出式（ｆ１（ｘ）〜ｆ１１（ｘ））は、いずれも簡単なものであり、一般的な表示装置等に使用されているＯＳＤ生成機能を持ったマイコン１３で、容量、処理速度ともに問題なく対応可能なものである。
【００９５】
図４に、マイコン１３が、画素毎の混合比データを生成する際の処理フローを示す。
【００９６】
ここでは、図３の設定パターンを例にして説明する。またここでは、ＯＳＤ映像データが表示される領域の画素数をｎとして説明する。
【００９７】
ユーザが表示装置１０を操作するためにリモコン１５のボタンを押すと、リモコン１５から発光された赤外線を赤外線受光部１４が受光し、その信号をマイコン１３に渡す。
【００９８】
マイコン１３は、赤外線受光部１４から受け取った信号に対応づけられているパターンｍ（ｍは、１≦ｍ≦１１の整数）の混合比データ（α値）設定パターンを作成するための算出式ｆｍ（ｘ）を選択する（ステップＳ１）。
【００９９】
なお、マイコン１３が赤外線受光部１４から受け取った信号が、本発明の、入力インターフェースから入力される表示指示の一例にあたる。また、マイコン１３が赤外線受光部１４から受け取った信号に対応づけられているパターンｍを取得するステップＳ１の処理が、本発明の混合比情報パターン取得ステップの一例にあたる。また、マイコン１３が、本発明のコンピュータの一例にあたる。
【０１００】
画素番号ｘに、まず０を入力し（ステップＳ２）、次に、画素番号ｘに、１を加算する（ステップＳ３）。
【０１０１】
次に、画素番号ｘに対応する混合比データα（ｘ）を算出する（ステップＳ４）。
【０１０２】
そして、映像処理ＬＳＩ１１の同期信号出力端子２８から出力される同期信号を監視し（ステップＳ５）、入力される同期信号に合わせて、算出した混合比データα（ｘ）を出力する（ステップＳ６）。
【０１０３】
そして、画素番号ｘが画素数ｎに達するまで、ステップＳ３〜ステップＳ６の処理を繰り返す（ステップＳ７）。
【０１０４】
なお、ステップＳ３〜ステップＳ５の処理を繰り返し行い、各画素の混合比データαを算出する処理が、本発明の混合比情報算出ステップの一例にあたる。
【０１０５】
このように処理することにより、赤外線受光部１４から受け取った信号に対応する指示パターンｍに応じた混合比データが、画素毎に、ナビ映像データに同期されてマイコン１３から出力される。
【０１０６】
図５に、本実施の形態１の表示装置１０の表示パネル１２に、ＯＳＤ映像をナビゲーション映像に混合して表示させた表示例を示している。
【０１０７】
図５は、リモコン１５によって、ナビゲーション映像上に「地図の縮尺切り替えメニュー」を混合表示させた例を示している。この場合、マイコン１３によって、表示パネル１２の画面上の３つの領域のＯＳＤ映像データが作成され、ナビゲーション映像に重畳して表示されている。
【０１０８】
この場合、例えば、半透明で表示されている２つの領域のＯＳＤ映像データは図３のパターン２の混合比データを使用して表示されたものであり、不透過で表示されている１つの領域のＯＳＤ映像データは図３のパターン３の混合比データを使用して表示されたものである。
【０１０９】
なお、図３では、混合比データ設定パターンとして単純なパターンを例に説明したが、もっと複雑なパターンを設定するようにしてもよい。例えば、左上隅から右下隅にかけて透明度が変化するようなパターンや、中心部分の透明度が最も低く中心から遠ざかるにしたがって透明度が高くなるようなパターンなどでも、簡単な算出式で対応できる。
【０１１０】
また、混合比データ設定パターンとして時間的に変化する要素も含むようにし、マイコン１３で時間的に変化させながら混合比データを算出し送信させるようにしてもよい。この場合、例えば重畳表示させているＯＳＤ映像データの文字を、時間的に濃くなったり薄くなったりするように変化させて表示させることができる。
【０１１１】
また、ここでは、混合比データ設定パターンを算出式によって求めることとしたが、マイコン１３が生成するＯＳＤ映像毎に、混合比データ設定パターンを対応づけ、マイコン１３内のメモリ上に保持させておくようにしてもよい。本実施の形態１のようなＯＳＤ映像データを生成する機能を備えたマイコン１３は、通常、フォントや画像情報をそのマイコンのメモリ内に保持する構成なので、混合比データ設定パターンを保持させるようにしてもメモリ容量への影響は小さくて済む。
【０１１２】
マイコン１３内のメモリ上に、混合比データ設定パターンをフォントや画像情報に対応づけて保持させた場合、さらに複雑な混合表示を行わせることができる。
【０１１３】
図６は、混合比データ設定パターンをフォントおよび画像情報に対応づけた場合の、表示パネル１２の、画面の一部拡大表示例を示している。
【０１１４】
これは、ナビゲーション映像を表示している表示パネル１２の左上部分に、マイコン１３で生成した「時刻」を示すＯＳＤ映像を混合表示させた例である。このように、１つのＯＳＤ映像の中で、枠および数字の部分は不透明（α＝１）とし、文字の背景部分だけ半透明（α＝０．５）という混合表示も実現できる。
【０１１５】
またこの場合には、マイコン１３の処理により、１つのＯＳＤ映像の中で、例えば青だけ半透明にするなど、色によって透明度が変化するような混合表示も実現できる。
【０１１６】
また、マイコン１３内のメモリ上に、出力するＯＳＤ映像に対応させる算出式や混合比データ設定パターンを保持させておくのではなく、ＯＳＤ映像を混合させる際の混合設定情報をリモコン１５内に保持させておき、リモコン１５からＯＳＤ映像の表示指示を送信する際に、ＯＳＤ映像を混合させる際の混合設定情報も送信するようにしてもよい。
【０１１７】
例えば、リモコン１５からあるメニューの表示を指示する際に、そのメニューを混合表示させる際の「パターン種別」情報もリモコン１５から送信させ、マイコン１３がＯＳＤ映像データを生成するとともに、その「パターン種別」に応じた画素毎の混合比データを生成し、その生成した混合比データをＯＳＤ映像データに同期させて出力させるようにすればよい。これにより、例えばリモコン１５の操作ボタンを操作することにより、表示パネル１２上に混合表示させているメニュー表示を、下の映像が透けて見える半透明表示にしたり、不透過の表示にするなどの切り替え操作が行えるようになる。
【０１１８】
また、マイコン１３から出力する混合比データは、ＯＳＤ領域内の画素に対応する混合比データだけを出力するようにしてもよいし、ＯＳＤ領域以外の領域も含んだ表示領域全体の全画素に対応する混合比データを出力するようにしてもよい。マイコン１３から表示領域全体の全画素に対応する混合比データを出力させる場合には、ＯＳＤ領域以外の領域の画素に対応する混合比データとして、前景が透明となるα値＝０の混合比データを出力させるようにすればよい。
【０１１９】
上記の図１および図２に示した構成の表示装置１０は、ナビゲーション本体６０から出力されるナビ映像データを表示するものであるが、本実施の形態１の構成の表示装置は、ナビ映像データ以外の入力映像データを表示させる表示装置としても適用できる。例えば、テレビチューナからＮＴＳＣコンポジット信号で出力されたテレビ映像データを、本実施の形態１の構成の表示装置に入力して表示させることもできる。
【０１２０】
図７に、テレビチューナに接続される本実施の形態１の表示装置３３の構成図を示す。図２に示した表示装置１０と同じ構成部分には、同じ符号を用いている。
【０１２１】
図７に示す表示装置３３の映像処理ＬＳＩ３５は、図２に示した映像処理ＬＳＩ１１のナビ映像信号処理部２１の代わりに、テレビ映像信号処理部３４を備えている。
【０１２２】
図７の表示装置３３では、映像入力端子２６には、接続されるテレビチューナから出力されたテレビ映像データが入力される。
【０１２３】
テレビ映像信号処理部３４には、映像入力端子２６に入力したテレビ映像データが入力され、そのテレビ映像データをＲＧＢ信号に復調、変換するとともに信号処理をして出力する。
【０１２４】
そして、混合処理部２２には、図２の表示装置１０の場合にナビ映像信号処理部２１で調整された映像信号が入力される代わりに、テレビ映像信号処理部３４で調整された映像信号が入力される。
【０１２５】
同期信号生成部２３は、映像入力端子２６に入力されたテレビ映像信号に同期させるための同期信号を生成し、同期信号出力端子２８から出力する。
【０１２６】
マイコン１３は、赤外線受光部１４がリモコン１５から受信した信号にしたがって、表示装置３３に入力されたテレビ映像データに重畳して表示させるためのＯＳＤ映像データを作成し、映像処理ＬＳＩ３５から入力された同期信号に同期させて、その作成したＯＳＤ映像データを映像入力端子２５へ出力する。また、マイコン１３は、映像処理ＬＳＩ３５から入力された同期信号に同期させて、出力したＯＳＤ映像データをテレビ映像データに混合させる際の混合比データを、一画素毎に生成して出力する。なお、マイコン１３は、図２の表示装置１０の場合と同様の方法により、一画素毎の混合比データを作成する。
【０１２７】
このようにして、図７の表示装置３３の表示パネル１２には、テレビ映像データとＯＳＤ映像データが画素毎に混合された映像データが表示される。
【０１２８】
なお、図７の表示装置３３の場合、映像処理ＬＳＩ３５が、本発明の映像処理デバイスの一例にあたり、また、本発明の映像処理ＬＳＩの一例にあたる。また、テレビ映像信号処理部３４が、本発明の第２の映像信号処理部の一例にあたる。
【０１２９】
図８に、本実施の形態１の表示装置３３の表示パネル１２に、ＯＳＤ映像をテレビ映像に混合して表示させた表示例を示している。
【０１３０】
これは、テレビ映像を表示している表示パネル１２の中央部分に、ディスプレイ調整用のＯＳＤ映像を混合表示させた例である。この場合、ディスプレイ調整用のＯＳＤ映像用のデータは、マイコン１３に予め保持されており、リモコン１５からの入力信号にしたがってマイコン１３がＯＳＤ映像データを出力し、表示パネル１２に表示させる。
【０１３１】
図８に示すように、１つのＯＳＤ映像の中で、枠および文字の部分は不透明（α＝１）とし、調整用のボタン部分を半透明（α＝０．５）、さらにボタンの周りの背景部分をより透明度の高い半透明（α＝０．２）という混合表示を実現できる。
【０１３２】
なお、ここでは、映像処理ＬＳＩ３５が、テレビ映像データを調整するテレビ映像信号処理部３４を備えることとしたが、テレビ映像信号処理部３４の代わりに、複数種類の形式の入力信号を調整できる共用設計した映像信号処理部としてもよい。複数の入力信号を調整できる映像信号処理部を備える構成とすることにより、例えば、ナビゲーション本体に接続すればナビ映像を表示でき、テレビチューナに接続すればテレビ映像を表示できるようなマルチユースの表示装置とすることができる。
【０１３３】
なお、上記の説明では、入力インターフェースとしてリモコン１５を用いて表示装置１０、３３を操作することとしたが、リモコン１５以外の入力手段で操作するようにしてもよい。例えば、表示装置１０、３３に設けた操作ボタンで入力するようにしてもよいし、表示パネル１２をタッチパネルとして入力するようにしてもよい。
【０１３４】
図２で説明した表示装置１０や図７で説明した表示装置３３は、表示装置単体でＯＳＤ映像データを生成し混合比情報を制御する構成であるが、表示装置が接続されるカーナビゲーションなどのシステムに連動させて、ＯＳＤ映像データの生成や混合比情報の制御をさせるようにしてもよい。
【０１３５】
図９に、ナビゲーション本体に連動させてＯＳＤデータを生成させる構成の、本実施の形態１の表示装置１６の構成図を示す。図２に示した表示装置１０と同じ構成部分には、同じ符号を用いている。
【０１３６】
図１に示したカーナビゲーションシステムの構成において、表示装置１０の代わりに図９に示した表示装置１６を接続する。
【０１３７】
図２の表示装置１０では、リモコン１５からの受信信号に基づいて、マイコン１３がＯＳＤ映像データを生成していたのに対し、図９に示す表示装置１６では、マイコン１７がナビゲーション本体６０のＣＰＵ６２から受け取るＯＳＤ設定情報に基づいて、表示パネル１２上に混合表示させるためのＯＳＤ映像データを生成する。
【０１３８】
表示装置１６における２映像混合処理の動作について以下に説明する。ここでは、表示装置１０を用いた場合と異なる部分について説明する。
【０１３９】
マイコン１７は、ナビゲーション本体６０のＣＰＵ６２から外部バス６１を介して入力されたＯＳＤ設定情報にしたがって、表示装置１６に入力されたナビ映像データに混合して表示させるためのＯＳＤ映像データを作成し、映像処理ＬＳＩ１１から入力された同期信号に同期させて、その作成したＯＳＤ映像データを映像入力端子２５へ出力する。また、マイコン１７は、映像処理ＬＳＩ１１から入力された同期信号に同期させて、出力したＯＳＤ映像データをナビ映像データに混合させる際の混合比データを、一画素毎に生成して出力する。
【０１４０】
ここで、マイコン１７は、各混合比データ設定パターンに対応する混合比データ算出式を備えており、ＣＰＵ６２から受信したＯＳＤ設定情報に含まれるパターン種別情報を受け取ると、そのパターン種別情報に対応する混合比データ算出式を用いて、画素毎の混合比データを算出して出力する。ここで、パターン種別および混合比データ設定パターンとは、例えば図３に示すようなものである。
【０１４１】
なお、マイコン１７における混合比データの生成方法は、例えば図３および図４を用いて説明した表示装置１０のマイコン１３における混合比データの生成方法と同様である。なお、この場合、マイコン１７がＣＰＵ６２から受信したＯＳＤ設定情報が、本発明の、入力インターフェースから入力される表示指示の一例にあたる。
【０１４２】
ここで、ＯＳＤ映像信号処理部２０における処理およびナビ映像信号処理部２１における処理は、ＯＳＤ映像信号処理部２０で調整されて出力されるＯＳＤ映像データと、ナビ映像信号処理部２１で調整されて出力されるナビ映像データとが同期するように設定されている。したがって、混合処理部２２には、ＯＳＤ映像信号処理部２０で調整されたＯＳＤ映像データと、ナビ映像信号処理部２１で調整されたナビ映像データが同期して入力される。
【０１４３】
他方、マイコン１７から出力された混合比データは、映像処理ＬＳＩ１１の混合比情報入力端子２９に入力される。混合比情報入力端子２９に入力される混合比データは、マイコン１７に入力された同期信号に同期させて作成されているので、映像入力端子２６に入力するナビ映像データと同期している。
【０１４４】
遅延回路２４は、混合比情報入力端子２９に入力した混合比データを、ナビ映像データが映像入力端子２６に入力した後、ナビ映像信号処理部２１で調整されて出力されるまでの時間分、遅延させる。これにより、混合処理部２２には、ナビ映像信号処理部２１から出力されるナビ映像データ、ＯＳＤ映像信号処理部２０から出力されるＯＳＤ映像データ、および遅延回路２４から出力された混合比データが同期して入力される。
【０１４５】
混合処理部２２は、画素毎に同期して入力されたこれらのデータを用いて、画素毎に、混合比データを用いてナビ映像データとＯＳＤ映像データとのαブレンド合成処理を行い、その混合した映像データを映像出力端子２７から出力させる。
【０１４６】
そして、ナビ映像データとＯＳＤ映像データが画素毎に混合された映像データが表示パネル１２に入力され、表示される。
【０１４７】
次に、図１０に、本実施の形態１のさらに他の構成の表示装置３０の構成図を示す。図２に示した表示装置１０と同じ構成部分には、同じ符号を用いている。
【０１４８】
図２で説明した表示装置１０では、マイコン１３から混合比データを出力していたのに対して、表示装置３０では、マイコン１８から準混合比データを出力するようにした点、および映像処理ＬＳＩ３１内に混合比データ値算出回路３２を設けた点が異なる。
【０１４９】
図１０において、マイコン１８から出力する準混合比データは、混合比データ（α値）を算出できるデータである。図２の混合比データが８ビットのデータであるのに対し、図１０の準混合比データは３ビットのデータである。
【０１５０】
混合比データ値算出回路３２は、混合比情報入力端子２９に入力された３ビットの準混合比データを、８ビットの混合比データに変換して混合処理部２２に入力する。
【０１５１】
図１１に、準混合比データと混合比データの対応関係を示した混合比テーブルの具体例を示す。
【０１５２】
混合処理部２２に入力する混合比データは８ビットなので、０≦α≦１．０の範囲を２５６段階に設定できる。一方、準混合比データは３ビットなので、０≦α≦１．０の範囲から８種類のα値を選択できる。
【０１５３】
実際に混合処理部２２に入力する混合比データは、８ビットのデータなので、０〜２５５の範囲の整数値である。図１０の表示装置３０では、この整数値の範囲の中から８つの値を準混合比として割り当て、混合比データの代わりに、この準混合比の値を映像処理ＬＳＩ３１の混合比情報入力端子２９に入力するものである。
【０１５４】
図１１の具体例の場合では、例えば準混合比データ値＝３に、実際に混合処理部２２に入力される混合比データの値α´＝１１７を割り当てている。したがって、この場合、混合比情報入力端子２９に、準混合比データ＝３が入力されると、混合比データ値算出回路３２で、混合比データα´＝１１７に変換され、混合処理部２２に入力される。その結果、このときには、α値＝０．４６でαブレンド合成されることになる。
【０１５５】
準混合比データは、８種類しか設定できないが、その８種類の各設定値を、０≦α´≦１．０の範囲を２５６段階と細かく区切った中から設定できる。
【０１５６】
この場合、混合比データ値算出回路３２は、準混合比データ値に対応する８つのα´値を混合比テーブルとして持っておけばよい。つまり、この場合には、この混合比テーブルとして８バイト分確保するだけで対応できる。
【０１５７】
図２の構成の場合には、マイコン１３から８ビットの混合比データを出力するので、画素毎の透明度合いを細かく設定できるが、例えばマイコン１３と映像処理ＬＳＩ１１間をパラレル信号で接続する場合には、混合比データの伝送のために、マイコン１３および映像処理ＬＳＩ１１にそれぞれ８つの入出力ポートが必要となる。
【０１５８】
一方、図１０の構成の場合には、マイコン１８から出力する準混合比データは３ビットなので、マイコン１８と映像処理ＬＳＩ３１間をパラレル信号で接続する場合には、準混合比データの伝送のために、マイコン１８および映像処理ＬＳＩ３１のそれぞれ３つの入出力ポートを使用するだけでよい。
【０１５９】
マイコンおよび映像処理ＬＳＩのそれぞれに、混合比データの伝送のために使用できるポートが十分にある場合には、図２の構成を用いればよいが、混合比データの伝送のために使用できるポートが限られている場合には、図１０の構成で対応すればよい。
【０１６０】
なお、本実施の形態１では、図１０の構成において準混合比データを３ビットとして説明したが、これ以外のビット数であってもよい。例えば、混合比データの伝送のために使用できるポートが２つしかない場合には、２ビットとして４種類の準混合比データを伝送するようにしてもよい。また、４ビット以上であってもよい。準混合比データとして使用するビット数が多いほど、画素毎の透明度合いを細かく設定できる。
【０１６１】
また、本実施の形態１の図１０の構成では、準混合比データから混合比データへの変換を混合比データ値算出回路３２で行わせることとしたが、図１１に示したような混合比テーブルを混合処理部２２に備えさせ、混合処理部２２に直接準混合比データを入力するようにし、混合処理部２２内でその準混合比データから混合比データに変換するようにしてもよい。
【０１６２】
また、本実施の形態１の図１０の構成では、準混合比データから混合比データへの変換を、図１１に示した混合比テーブルを用いた例で説明したが、算出式を用いて準混合比データから混合比データへ変換するようにしてもよい。
【０１６３】
また、本実施の形態１の図１０の構成では、混合比情報入力端子２９に入力された準混合比データが、遅延回路２４の後に混合比データ値算出回路３２で変換処理されることとしているが、先に混合比データ値算出回路３２で準混合比データから混合比データに変換し、その後に遅延回路２４で遅延させるようにしてもよい。混合処理部２２に入力される際の混合比データが、ナビ映像信号処理部２１から混合処理部２２に入力されるナビ映像データに同期していればよい。
【０１６４】
また、図２、図９においてマイコン１３、１７から映像処理ＬＳＩ１１に入力する混合比データ、および図１０においてマイコン１８から映像処理ＬＳＩ３１に入力する準混合比データは、いずれも、パラレル信号で伝送してもよいし、シリアル信号で伝送するようにしてもよい。パラレル信号で伝送する場合には、混合比情報入力端子２９として複数のポート（端子）を用いることになる。
【０１６５】
また、本実施の形態１では、映像処理ＬＳＩ１１および３１に遅延回路２４を設けることとしたが、遅延回路２４を設ける代わりに、マイコン１３から出力する混合比データまたは準混合比データを遅延させて出力させるようにしてもよい。混合処理部２２に入力される際の混合比データを、ナビ映像信号処理部２１から混合処理部２２に入力されるナビ映像データに同期させることができればよく、映像処理ＬＳＩ内の遅延回路２４で対応してもよいし、マイコン１３側で遅延させて対応してもよい。
【０１６６】
（実施の形態２）
図１２に、本発明の実施の形態２の表示装置４０の構成図を示す。図２に示した実施の形態１の表示装置１０と同じ構成部分には、同じ符号を用いている。
【０１６７】
本実施の形態２のカーナビゲーションシステムは、図１の構成のカーナビゲーションシステムにおいて、表示装置１０に代えて表示装置４０を備えるものである。
【０１６８】
図１、図１２および図１３を用いて、本実施の形態２の表示装置４０の構成および動作について説明する。
【０１６９】
本実施の形態２のカーナビゲーションシステムでは、ナビゲーション本体６０のＣＰＵ６２が、混合させて表示させるための複数のナビ映像データをナビ描画処理部６６に作成させて、それらの作成させたナビ映像データを、外部バス６１を介して表示装置４０に送信する。
【０１７０】
図１３（ｂ）に、複数のナビ映像データを混合させて表示装置４０の表示パネル１２に表示させた表示例を示している。
【０１７１】
図１３（ｂ）では、４種類のナビ映像データを混合させて表示させている。この場合、自車位置を含む地図表示であるナビゲーション映像に、ナビゲーション画面を操作するためのナビＧＵＩ、ナビゲーション以外のコマンド操作をするためのコマンドＧＵＩ、および音楽プレーヤの動作を示す音楽プレーヤＧＵＩの３つのナビ映像データを、混合させて表示している。
【０１７２】
次に、図１２を用いて、本実施の形態２の表示装置４０の構成について説明する。ここでは、図２に示した実施の形態１の表示装置１０と異なる部分について説明する。
【０１７３】
映像処理ＬＳＩ４１は、第１ナビ映像信号処理部４３、第２ナビ映像信号処理部４４、混合処理部２２、同期信号生成部２３、および遅延回路２４を備えている。また、映像処理ＬＳＩ４１は、映像入力端子２５および２６、映像出力端子２７、同期信号出力端子２８、および混合比情報入力端子２９を備えている。
【０１７４】
映像処理ＬＳＩ４１の映像入力端子２５には、ナビゲーション本体６０から出力された第１ナビ映像データが外部バス６１を介して入力され、映像入力端子２６には、ナビゲーション本体６０から出力された第２ナビ映像データが外部バス６１を介して入力される。
【０１７５】
なお、ここでは、映像入力端子２５および２６に入力される第１ナビ映像データおよび第２ナビ映像データは、各画素データが、赤、青、緑の３原色データからなるカラー映像データであり、各原色データがそれぞれ８ビットからなる２４ビットのデータであるものとする。
【０１７６】
第１ナビ映像信号処理部４３は、映像入力端子２５に入力された第１ナビ映像データに対して、ＹＵＶ信号をＲＧＢ信号に変換するとともに、ガンマ補正、コントラスト調整、ブライト調整、外光輝度調整などをして出力する。また、第１ナビ映像信号処理部４３は、これらの調整とともに、マイコン４２からの指示にしたがって、入力された第１ナビ映像データの画像サイズを拡大または縮小する処理も行う。
【０１７７】
同様に、第２ナビ映像信号処理部４４は、映像入力端子２６に入力された第２ナビ映像データに対して、ＹＵＶ信号をＲＧＢ信号に変換するとともに、ガンマ補正、コントラスト調整、ブライト調整、外光輝度調整などをして出力する。また、第２ナビ映像信号処理部４４は、これらの調整とともに、マイコン４２からの指示にしたがって、入力された第２ナビ映像データの画像サイズを拡大または縮小する処理も行う。
【０１７８】
第１ナビ映像データと第２ナビ映像データは、ナビゲーション本体６０から同期して出力されてくるので、映像入力端子２５および映像入力端子２６に入力する際には、これらの映像データは同期している。
【０１７９】
そして、第１ナビ映像信号処理部４３における処理および第２ナビ映像信号処理部４４における処理は、第１ナビ映像信号処理部４３で調整されて出力される第１ナビ映像データと、第２ナビ映像信号処理部４４で調整されて出力される第２ナビ映像データとが同期するように設定されている。したがって、混合処理部２２には、第１ナビ映像信号処理部４３で調整された第１ナビ映像データと、第２ナビ映像信号処理部４４で調整された第２ナビ映像データが同期して入力される。
【０１８０】
同期信号生成部２３は、映像入力端子２６に入力された第２ナビ映像信号に同期させるための同期信号を生成し、同期信号出力端子２８から出力する。
【０１８１】
マイコン４２は、ナビゲーション本体６０のＣＰＵ６２から外部バス６１を介して入力された混合設定情報にしたがって、表示装置４０に入力された第１ナビ映像データと第２ナビ映像データを混合して表示させるための混合比データを、画素毎に生成して出力する。
【０１８２】
ここで、マイコン４２が出力する混合比データとは、画素毎に設定されたαブレンド合成処理に使用するα値である。ここでは、各画素毎に設定されたα値を８ビットとする。なお、このときのマイコン４２における混合比データの生成方法については後述する。
【０１８３】
マイコン４２から出力された混合比データは、映像処理ＬＳＩ４１の混合比情報入力端子２９に入力される。混合比情報入力端子２９に入力される混合比データは、マイコン４２に入力された同期信号に同期させて作成されているので、映像入力端子２６に入力する第２ナビ映像データと同期している。
【０１８４】
遅延回路２４は、混合比情報入力端子２９に入力した混合比データを、第２ナビ映像データが映像入力端子２６に入力した後、第２ナビ映像信号処理部４４で調整されて出力されるまでの時間分、遅延させる。これにより、混合処理部２２には、第１ナビ映像信号処理部４３から出力される第１ナビ映像データ、第２ナビ映像信号処理部４４から出力される第２ナビ映像データ、および遅延回路２４から出力された混合比データが同期して入力される。
【０１８５】
混合処理部２２は、画素毎に同期して入力されたこれらのデータを用いて、画素毎に、混合比データを用いて第１ナビ映像データと第２ナビ映像データとのαブレンド合成処理を行い、その混合した映像データを映像出力端子２７から出力させる。
【０１８６】
そして、第１ナビ映像データと第２ナビ映像データが画素毎に混合された映像データが表示パネル１２に入力され、表示される。
【０１８７】
次に、マイコン４２における混合比データの生成方法について説明する。
【０１８８】
本実施の形態２の表示装置４０では、混合画像種別毎に、混合比データ設定パターン（各画素に設定するα値の組み合わせ設定パターン）が予め決められている。
【０１８９】
ここでは、映像入力端子２５に入力される第１ナビ映像データを、地図表示するためのナビゲーション映像のデータとし、映像入力端子２６に入力される第２ナビ映像データを、ナビゲーション映像以外の映像データとして説明する。ここで「混合画像種別」とは、第１ナビ映像データに混合する第２ナビ映像データの種類をいうものである。
【０１９０】
マイコン４２は、混合画像種別に対応づけられた混合比データ設定パターンの混合比データを算出するための混合比データ算出式を備えており、ＣＰＵ６２から受信した混合設定情報に含まれる混合画像種別に応じた混合比データ算出式を用いて、混合比データを算出する。
【０１９１】
図１３（ａ）に、混合画像種別に対応づける混合比データ設定パターンの具体例を示す。また、図１３（ｂ）は、複数のナビ映像データを混合させて表示装置４０の表示パネル１２に表示させた表示例を示している。
【０１９２】
図１３（ａ）に示す具体例の場合には、混合比データ設定パターンとして混合比データの時間的変化の要素も含めている。
【０１９３】
例えば、コマンドＧＵＩの映像データをナビゲーション映像に混合して表示させる場合について説明する。この場合、映像入力端子２５には、第１ナビ映像データとしてナビゲーション映像のデータが入力されており、映像入力端子２６に、第２ナビ映像データとしてコマンドＧＵＩの映像データが入力されるとともに、マイコン４２には、コマンドＧＵＩを表示する旨の情報を含んだ混合設定情報がＣＰＵ６２から入力される。このとき、ＣＰＵ６２から入力される混合設定情報には、混合比データを作成する表示範囲の情報も含まれている。
【０１９４】
マイコン４２は、コマンドＧＵＩの混合比データ設定パターンを生成するための算出式を用いて、コマンドＧＵＩに対応する混合比データを、時間とともに変化させながら、画素毎に生成して出力する。
【０１９５】
その結果、表示パネル１２にナビゲーション映像が表示されている状態から、コマンドＧＵＩの表示が徐々に濃くなるように現れて表示され、最終的にα値＝０．５の透明度で、ナビゲーション映像上にコマンドＧＵＩが半透明で表示される。
【０１９６】
また、図１３（ａ）の音楽プレーヤＧＵＩの映像データを混合させる場合には、画素によって混合比データの変化する速度を変えるように設定している。図１３（ａ）に示した混合比データ設定パターンの場合には、表示パネル１２にナビゲーション映像が表示されている状態から、音楽プレーヤＧＵＩの映像データの左側の部分から先に現れてくるように表示され、最終的にα値＝０．８の透明度で、ナビゲーション映像上に音楽プレーヤＧＵＩが半透明で表示される。
【０１９７】
図１３（ｂ）の表示例は、４つのナビ映像データを混合して表示させたものである。この場合には、図１２に示した、映像入力端子２５および第１ナビ映像信号処理部４３と同様の構成が、映像処理ＬＳＩ４１内に、さらに２組設けられている。
【０１９８】
本実施の形態２では、図１３（ａ）に示したように、混合比データ設定パターンを混合画像種別に対応づけることとして説明したが、図３で説明した実施の形態１のように、混合比データ設定パターンをパターン種別に対応づけて設定するようにしてもよい。
【０１９９】
なお、上記では、マイコン４２が混合比データを作成する表示範囲は、ＣＰＵ６２から入力される混合設定情報に含めてマイコン４２に入力されることとしたが、映像入力端子２６に入力される第２ナビ映像データがマイコン４２に入力されるようにして、マイコン４２が、その第２ナビ映像データから混合比データを作成する表示範囲を判断するようにしてもよい。
【０２００】
また、上記では、同期信号生成部２３が、映像入力端子２６に入力された第２ナビ映像信号から同期信号を生成することとしたが、映像入力端子２５に入力された第１ナビ映像信号から同期信号を生成させて同期信号出力端子２８から出力するようにしてもよい。
【０２０１】
また、本実施の形態２では、マイコン４２がナビゲーション本体６２に連動して混合比データを生成する構成で説明したが、マイコン４２がナビゲーション本体６２のＣＰＵ６２から受け取った混合設定情報に基づいて混合比データを生成するのではなく、図２に示した表示装置１０のように、表示装置４０単体で混合比データを生成する構成としてもよい。
【０２０２】
その場合、例えば、図２の表示装置１０のように、マイコン４２から出力する混合比データ設定パターンをリモコンなどの入力インターフェースから受信する入力信号に対応づけておき、マイコン４２が、リモコンから受信した入力信号に対応した画素毎の混合比データを生成し、出力するようにすればよい。
【０２０３】
また、本実施の形態２のマイコン４２として、ＯＳＤデータ生成機能を備えたマイコンを用いてもよい。
【０２０４】
（実施の形態３）
図１４に、本発明の実施の形態３の表示装置５０の構成図を示す。図２に示した実施の形態１の表示装置１０と同じ構成部分には、同じ符号を用いている。
【０２０５】
本実施の形態３のカーナビゲーションシステムは、図１の構成のカーナビゲーションシステムにおいて、表示装置１０に代えて表示装置５０を備えるものである。
【０２０６】
図１および図１４を用いて、本実施の形態３の表示装置５０の構成および動作について説明する。ここでは、図２に示した実施の形態１の表示装置１０と異なる部分について説明する。
【０２０７】
本実施の形態３の表示装置５０は、図２に示した実施の形態１の表示装置１０の構成に加えて、テレビ映像信号処理部５４、同期用バッファ５５、映像入力端子５６、および組み合わせ情報入力端子５７を備えている。そして、混合処理部５３には、テレビ映像信号処理部５４で調整された映像信号も入力されるようになっている。
【０２０８】
なお、本実施の形態３においては、映像入力端子２６および５６が、本発明の第１および第２の映像入力端子の一例にあたり、映像入力端子２５が、本発明の第３の映像入力端子の一例にあたる。また、ナビ映像信号処理部２１およびテレビ映像信号処理部５４が、本発明の第１および第２の映像信号処理部の一例にあたり、ＯＳＤ映像信号処理部２０が、本発明の第３の映像信号処理部の一例にあたる。
【０２０９】
映像処理ＬＳＩ５１の映像入力端子５６には、テレビチューナから出力されたテレビ映像データがＮＴＳＣ信号で入力される。
【０２１０】
テレビ映像信号処理部５４には、映像入力端子５６に入力したテレビ映像データが入力され、そのテレビ映像データをＲＧＢ信号に復調、変換するとともに信号処理をして出力する。
【０２１１】
同期用バッファ５５は、テレビ映像信号処理部５４で復調、変換されたテレビ映像データを、ナビ映像信号処理部２１で信号処理され出力されるナビ映像データに同期させて混合処理部５３に入力するために設けられたバッファである。
【０２１２】
ここで、ＯＳＤ映像信号処理部２０における処理、ナビ映像信号処理部２１における処理、およびテレビ映像信号処理部５４における処理は、ＯＳＤ映像信号処理部２０で調整されて出力されるＯＳＤ映像データと、ナビ映像信号処理部２１で調整されて出力されるナビ映像データと、同期用バッファ５５でタイミング調整されて出力されるテレビ映像データとが同期するように設定されている。
【０２１３】
マイコン５２は、図２に示したマイコン１３と同様に、ＯＳＤ映像データを生成する機能を備えている。
【０２１４】
本実施の形態３の表示装置５０では、赤外線受光部１４がリモコン１５から受信する信号に応じて、マイコン５２が出力するＯＳＤ映像データ、映像処理ＬＳＩ５１の混合処理部５３で混合させる映像データの組み合わせ、およびその映像データを混合する際に使用する混合比データ設定パターンが予め決められており、これらの関係情報がマイコン５２内のメモリ上に保持されている。
【０２１５】
マイコン５２は、赤外線受光部１４がリモコン１５から受信した信号を受け取ると、その信号に対応するＯＳＤ映像データを生成して出力するとともに、映像処理ＬＳＩ５１の混合処理部５３で混合させる映像データの組み合わせ情報を映像処理ＬＳＩ５１の組み合わせ情報入力端子５７に入力して混合処理部５３に通知する。
【０２１６】
混合比情報入力端子２９に入力した混合比データは、遅延回路２４によって遅延されるので、混合処理部５３には、ナビ映像信号処理部２１から出力されるナビ映像データ、ＯＳＤ映像信号処理部２０から出力されるＯＳＤ映像データ、同期用バッファ５５から出力されるテレビ映像データ、および遅延回路２４から出力された混合比データが同期して入力される。
【０２１７】
混合処理部５３は、マイコン５２から通知された混合組み合わせ情報にしたがって、画素毎に同期して入力されたこれらのデータを用いて、画素毎に、混合比データを用いてαブレンド合成処理を行い、その混合した映像データを映像出力端子２７から出力させる。
【０２１８】
例えば、混合組み合わせ情報に、ナビ映像データとＯＳＤ映像データの組み合わせが設定されている場合には、ナビ映像データにＯＳＤ映像データがそれらの組み合わせに対応する混合比データ設定パターンを用いて混合された映像データが映像出力端子２７から出力され、テレビ映像データとＯＳＤ映像データの組み合わせが設定されている場合には、テレビ映像データにＯＳＤ映像データがそれらの組み合わせに対応する混合比データ設定パターンを用いて混合された映像データが映像出力端子２７から出力される。
【０２１９】
そして、映像出力端子２７から出力された映像データが表示パネル１２に入力され、表示される。
【０２２０】
赤外線受光部１４で受信した信号に関連づけてマイコン５２内のメモリに保持する関係情報として、例えば、「ナビ映像画面からテレビ映像画面への切り替え指示」信号に対応させて、表示パネル１２画面の端から徐々にナビ映像画面からテレビ映像画面に変化していくような混合比データ設定パターンを設定しておいたり、「ナビ映像画面内の一部領域にテレビ映像を縮小して表示させる指示」信号に対応させて、ナビ画面上に重畳表示されているテレビ映像部分からナビ映像部分が透けて見えるように半透明で表示させるような混合比データ設定パターンを設定しておくことができる。なお、マイコン５２が「ナビ映像画面内の一部領域にテレビ映像を縮小して表示させる指示」信号を受け取った場合には、テレビ映像信号処理部５４に対して、テレビ映像データの画像サイズの縮小処理も行わせる指示も出す。
【０２２１】
なお、本実施の形態３では、テレビ映像信号処理部５４と混合処理部５３の間に同期用バッファ５５を設けることとしたが、同期用バッファ５５を映像入力端子５６とテレビ映像信号処理部５４の間に設けて、テレビ映像信号処理部５４から出力するテレビ映像データをナビ映像データに同期させるようにしてもよい。
【０２２２】
また、ナビ映像信号処理部２１と混合処理部５３の間、またはナビ映像信号処理部２１と映像入力端子２６の間に同期用バッファを設けて、ナビ映像信号処理部２１から出力するナビ映像データを、テレビ映像信号処理部５４から出力されるテレビ映像データに同期させるようにしてもよい。この場合には、同期信号出力端子２８からマイコン５２に送信する同期信号として、テレビ映像信号から生成した同期信号を送信することにより、マイコン５２から出力するＯＳＤ映像データの同期をとることができる。
【０２２３】
また、テレビ映像信号処理部５４、ナビ映像信号処理部２１およびＯＳＤ映像信号処理部２０のそれぞれに同期用バッファを設けておいて、同期をとる必要のない信号についてはその同期用バッファをスルーさせるような構成にしてもよい。
【０２２４】
また、本実施の形態３では、映像入力端子５６にテレビ映像データが入力されることとして説明したが、それ以外の映像データ、例えば、ＤＶＤで再生された映像データや、ビデオカメラで撮影された映像データなどが入力されてもよい。
【０２２５】
また、各実施の形態では、映像処理ＬＳＩに、ナビ映像データとしてＹＵＶ信号が、テレビ映像データとしてＮＴＳＣコンポジット信号がそれぞれ入力される例で説明したが、ナビ映像データとしてＮＴＳＣやＰＡＬ、ＳＥＣＡＭなどのコンポジット映像信号やＲＧＢ信号が入力されてもよいし、テレビ映像データとしてＮＴＳＣ以外のコンポジット映像信号やＹＵＶ信号、ＲＧＢ信号などが入力されてもよい。
【０２２６】
なお、各実施の形態では、２種類または３種類の映像データが映像処理ＬＳＩに入力されるものとして説明したが、映像処理ＬＳＩ内に映像信号処理部をさらに設けて、４種類以上の映像データが入力されるようにしてもよい。
【０２２７】
また、各実施の形態では、混合処理の一例としてαブレンド合成処理を用いて説明したが、複数映像を画素毎に混合する処理であれば、αブレンド合成処理以外の混合処理を用いてもよい。
【０２２８】
また、各実施の形態では、本発明の映像処理デバイスの例を、映像処理ＬＳＩを用いて説明したが、ＬＳＩ以外の映像処理デバイスであってもよい。例えば、各実施の形態で用いた映像処理ＬＳＩの構成を、ＣＰＵやメモリなどを接続した回路で実現してもよい。
【０２２９】
以上に説明したように、本発明の映像処理デバイス、映像処理ＬＳＩおよび表示装置は、混合比データ用のフレームメモリを必要とせずに、複数の入力映像データを画素単位で混合比を制御して混合し、出力することができる。
【０２３０】
本発明の表示装置は、従来の混合比データ用のフレームメモリを用いて複数の入力映像データを画素単位で混合比を制御して混合する表示装置の構成から、混合比データ用のフレームメモリを削除した構成で、新たな部品を追加することなく対応できるものである。
【０２３１】
なお、本発明のプログラムは、上述した混合比情報生成方法の、入力インターフェースから入力される表示指示に応じた前記第１の映像データおよび前記第２の映像データの組み合わせに対応する前記混合比情報パターンを取得する前記混合比情報パターン取得ステップ、および前記取得した混合比情報パターンに基づいて、混合比情報を画素毎に算出する前記混合比情報算出ステップ、の動作をコンピュータにより実行させるためのプログラムであって、コンピュータと協働して動作するプログラムである。
【０２３２】
また、本発明の記録媒体は、上述した混合比情報生成方法の、入力インターフェースから入力される表示指示に応じた前記第１の映像データおよび前記第２の映像データの組み合わせに対応する前記混合比情報パターンを取得する前記混合比情報パターン取得ステップ、および前記取得した混合比情報パターンに基づいて、混合比情報を画素毎に算出する前記混合比情報算出ステップ、の動作をコンピュータにより実行させるためのプログラムを記録した記録媒体であり、コンピュータにより読み取り可能かつ、読み取られた前記プログラムが前記コンピュータと協働して利用される記録媒体である。
【０２３３】
また、本発明の上記「ステップの動作」とは、前記ステップの全部または一部の動作を意味する。
【０２３４】
また、本発明のプログラムの一利用形態は、コンピュータにより読み取り可能な、ＲＯＭ等の記録媒体に記録され、コンピュータと協働して動作する態様であっても良い。
【０２３５】
また、本発明のプログラムの一利用形態は、インターネット等の伝送媒体、光・電波等の伝送媒体中を伝送し、コンピュータにより読みとられ、コンピュータと協働して動作する態様であっても良い。
【０２３６】
また、上述した本発明のコンピュータは、ＣＰＵ等の純然たるハードウェアに限らず、ファームウェアや、ＯＳ、更に周辺機器を含むものであっても良い。
【０２３７】
なお、以上説明した様に、本発明の構成は、ソフトウェア的に実現しても良いし、ハードウェア的に実現しても良い。
【０２３８】
なお、各実施の形態では、カーナビゲーションシステムを例に説明したが、本発明は、表示装置を用いるものであれば、カーナビゲーションシステム以外のディスプレイシステムにも適用できるものである。
【産業上の利用可能性】
【０２３９】
本発明に係る映像処理デバイス、映像処理ＬＳＩ、表示装置、カーナビゲーションシステム、および混合比情報生成方法等は、混合比データ用のフレームメモリを必要とせずに、複数の入力映像データを画素単位で混合比を制御して混合できる効果を有し、複数の入力映像データを混合可能な映像処理デバイス、映像処理ＬＳＩ、表示装置、カーナビゲーションシステム、および混合比情報生成方法等として有用である。
【図面の簡単な説明】
【０２４０】
【図１】本発明の実施の形態１のカーナビゲーションシステムの構成図
【図２】本発明の実施の形態１の表示装置の構成図
【図３】本発明の実施の形態１の制御用マイコンに設定される、複数の混合比データ設定パターン種別の具体例を示す図
【図４】本発明の実施の形態１の制御用マイコンが、画素毎の混合比データを生成する際の処理フローを示す図
【図５】本発明の実施の形態１の表示装置にＯＳＤ映像をナビゲーション映像に混合して表示させた表示例を示す図
【図６】本発明の実施の形態１の表示装置において、混合比データ設定パターンをフォントおよび画像情報に対応づけた場合の、画面の一部拡大表示例を示す図
【図７】本発明の実施の形態１の、テレビチューナに接続される表示装置の構成図
【図８】本発明の実施の形態１の表示装置にＯＳＤ映像をテレビ映像に混合して表示させた表示例を示す図
【図９】本発明の実施の形態１の、ナビゲーション本体に連動させてＯＳＤデータを生成させる構成の表示装置の構成図
【図１０】本発明の実施の形態１の、他の構成の表示装置の構成図
【図１１】本発明の実施の形態１における、準混合比データと混合比データの対応関係を示す混合比テーブルの具体例を示す図
【図１２】本発明の実施の形態２の表示装置の構成図
【図１３】（ａ）本発明の実施の形態２の表示装置において、混合画像種別に対応づける混合比データ設定パターンの具体例を示す図、（ｂ）本発明の実施の形態２の表示装置による表示例を示す図
【図１４】本発明の実施の形態３の表示装置の構成図
【図１５】従来の、２映像αブレンド合成機能を持つ表示装置を備えたカーナビゲーションシステムの構成図
【図１６】従来の映像処理ＬＳＩにおけるαブレンド合成処理方法の説明図
【図１７】従来の映像処理ＬＳＩにおける、他のαブレンド合成処理方法の説明図
【符号の説明】
【０２４１】
１０、１６、３０、３３、４０、５０  表示装置
１１、３１、３５、４１、５１  映像処理ＬＳＩ
１２  表示パネル
１３、１７、４２、５２  マイコン
１４  赤外線受光部
１５  リモコン
２０  ＯＳＤ映像信号処理部
２１  ナビ映像信号処理部
２２、５３  混合処理部
２３  同期信号生成部
２４  遅延回路
２５、２６、５６  映像入力端子
２７  映像出力端子
２８  同期信号出力端子
２９  混合比情報入力端子
３２  混合比データ値算出回路
４３  第１ナビ映像信号処理部
４４  第２ナビ映像信号処理部
３４、５４  テレビ映像信号処理部
５５  同期用バッファ
５７  組み合わせ情報入力端子
６０  ナビゲーション本体
６１  外部バス
６２  ＣＰＵ
６３  操作部
６４  センサ
６５  記憶部
６６  ナビ描画処理部
【図１】
2009276557.tif 000003
【図２】
2009276557.tif 000004
【図３】
2009276557.tif 000005
【図４】
2009276557.tif 000006
【図７】
2009276557.tif 000007
【図９】
2009276557.tif 000008
【図１０】
2009276557.tif 000009
【図１１】
2009276557.tif 000010
【図１２】
2009276557.tif 000011
【図１４】
2009276557.tif 000012
【図１５】
2009276557.tif 000013
【図１６】
2009276557.tif 000014
【図１７】
2009276557.tif 000015
【図５】
2009276557.tif 000016
【図６】
2009276557.tif 000017
【図８】
2009276557.tif 000018
【図１３】
2009276557.tif 000019